(57)【特許請求の範囲】
【請求項１】
複数のピクセルを有するアクティブマトリクス電気光学ディスプレイの残留電圧を低減させる方法であって、前記残留電圧は、前記アクティブマトリクス電気光学ディスプレイ上に表示された画像が更新した後に電気光学材料内の電荷分極によって生じ、電気光学材料の経時的な劣化に寄与し、前記方法は、前記アクティブマトリクス電気光学ディスプレイの光学状態が変化した後に行われ、前記方法は、
複数のピクセルトランジスタをアクティブ化するために十分なゲート電圧を複数の行における前記複数のピクセルトランジスタに同時に供給するようにドライバを設定することと、
前記ドライバを設定した後、ゲート電圧を前記複数のピクセルトランジスタの各々のゲートに印加することにより、前記複数のピクセルトランジスタをアクティブ化し、これにより、前記残留電圧を排出するための導電路を生成することと、
前記ゲート電圧を印加した後、前面電極および背面電極にほぼ同一の電圧を印加することと
を含み、前記電圧は、設定された残留電圧値が達成されるまで印加され、前記残留電圧は、電圧計を用いて、前記アクティブマトリクス電気光学ディスプレイのピクセルの開回路電位を測定することによって検出される、方法。
【請求項２】
前記ピクセルトランジスタは、ｎ型であり、前記ゲート電圧は、正である、請求項１に記載の方法。
【請求項３】
前記ピクセルトランジスタは、ｎ型であり、前記ゲート電圧は、前記ピクセルトランジスタのアクティブ化電圧と等しい、またはそれを上回る、請求項１に記載の方法。
【請求項４】
前記ピクセルトランジスタは、ｐ型であり、前記ゲート電圧は、負である、請求項１に記載の方法。
【請求項５】
前記ゲート電圧の絶対値は、少なくとも３００ｍＶである、請求項２または４に記載の方法。
【請求項６】
前記ゲート電圧の絶対値は、少なくとも４５０ｍＶである、請求項２または４に記載の方法。
【請求項７】
前記ゲート電圧の絶対値は、少なくとも７００ｍＶである、請求項２または４に記載の方法。
【請求項８】
前記ゲート電圧の絶対値は、少なくとも１Ｖである、請求項２または４に記載の方法。
【請求項９】
前記ゲート電圧の絶対値は、少なくとも２Ｖである、請求項２または４に記載の方法。
【請求項１０】
前記ゲート電圧の絶対値は、１Ｖ〜２５Ｖである、請求項２または４に記載の方法。
【請求項１１】
前記ゲート電圧の絶対値は、２Ｖ〜８Ｖである、請求項２または４に記載の方法。
【請求項１２】
前記ピクセルトランジスタは、ｐ型であり、前記ゲート電圧は、前記ピクセルトランジスタのアクティブ化電圧と等しい、またはそれを下回る、請求項１に記載の方法。
【請求項１３】
前記電圧は、前記残留電圧値が、１Ｖと等しくなるかまたはそれを下回るまで印加される、請求項１に記載の方法。
【請求項１４】
前記電圧は、前記残留電圧値が、５００ｍＶと等しくなるかまたはそれを下回るまで印加される、請求項１に記載の方法。
【請求項１５】
前記電圧は、前記残留電圧値が、３００ｍＶと等しくなるかまたはそれを下回るまで印加される、請求項１に記載の方法。
【請求項１６】
前記電圧は、前記残留電圧値が、１００ｍＶと等しくなるかまたはそれを下回るまで印加される、請求項１に記載の方法。
【請求項１７】
前記電圧は、前記残留電圧値が、０ｍＶに等しくなるまで印加される、請求項１に記載の方法。
【請求項１８】
前記ピクセルトランジスタの実質的に全てが、同時にアクティブ化される、請求項１に記載の方法。
【請求項１９】
複数のピクセルトランジスタと、低レベルゲートライン、高レベルゲートライン、前面電極、およびソースラインに電圧を印加することが可能なコントローラとを有する、アクティブマトリクス電気光学ディスプレイの残留電圧を低減させる方法であって、前記残留電圧は、前記アクティブマトリクス電気光学ディスプレイ上に表示された画像が更新した後に電気光学材料内の電荷分極によって生じ、電気光学材料の経時的な劣化に寄与し、前記方法は、前記アクティブマトリクス電気光学ディスプレイの光学状態が変化した後に行われ、前記方法は、
前記ピクセルトランジスタがｎ型である場合に、正電圧を前記低レベルゲートラインに印加することにより、前記残留電圧を排出するための導電路を生成することと、
前記ピクセルトランジスタがｐ型である場合に、負電圧を前記低レベルゲートラインに印加することにより、前記残留電圧を排出するための導電路を生成することと、
前記ソースラインを接地することと、
前記前面電極を接地することと
を含み、前記ソースラインおよび前記前面電極は、設定された残留電圧値が達成されるまで接地され、前記残留電圧は、電圧計を用いて、前記アクティブマトリクス電気光学ディスプレイのピクセルの開回路電位を測定することによって検出される、方法。
【請求項２０】
複数のピクセルトランジスタと、低レベルゲートライン、高レベルゲートライン、前面電極、正のソースライン、および負のソースラインに電圧を印加することが可能なコントローラとを有する、アクティブマトリクス電気光学ディスプレイの残留電圧を低減させる方法であって、前記残留電圧は、前記アクティブマトリクス電気光学ディスプレイ上に表示された画像が更新した後に電気光学材料内の電荷分極によって生じ、電気光学材料の経時的な劣化に寄与し、前記方法は、前記アクティブマトリクス電気光学ディスプレイの光学状態が変化した後に行われ、前記方法は、
前記ピクセルトランジスタがｎ型である場合に、負電圧を前記前面電極に印加することと、
前記ピクセルトランジスタがｐ型である場合に、正電圧を前記前面電極に印加することと、
前記前面電極に電圧を印加した後に、前記ソースラインに前記前面電極とほぼ同一の電圧を印加することと、
前記低レベルゲートラインおよび前記高レベルゲートラインを接地することにより、前記残留電圧を排出するための導電路を生成することと
を含み、前記ソースラインおよび前記前面電極は、設定された残留電圧値が達成されるまで前記同一の電圧を印加され、前記残留電圧は、電圧計を用いて、前記アクティブマトリクス電気光学ディスプレイのピクセルの開回路電位を測定することによって検出される、方法。
【請求項２１】
複数のピクセルを有するセグメント化電気光学ディスプレイの残留電圧を低減させる方法であって、前記残留電圧は、前記セグメント化電気光学ディスプレイ上に表示された画像が更新した後に電気光学材料内の電荷分極によって生じ、電気光学材料の経時的な劣化に寄与し、前記方法は、前記セグメント化電気光学ディスプレイの光学状態が変化した後に行われ、前記方法は、ほぼ同一の電圧を前面電極および背面電極に印加することを含み、前記前面電極および前記背面電極は、設定された残留電圧値が達成されるまで前記同一の電圧を印加され、前記残留電圧は、電圧計を用いて、前記セグメント化電気光学ディスプレイのピクセルの開回路電位を測定することによって検出される、方法。
【請求項２２】
請求項１および請求項１９〜２１のいずれか一項に記載の方法であって、請求項１、１９、および２０に記載の前記アクティブマトリクス電気光学ディスプレイは、電気泳動ディスプレイであり、請求項２１に記載の前記セグメント化電気光学ディスプレイは、電気泳動ディスプレイである、方法。
【発明の詳細な説明】
【技術分野】
【０００１】
（関連出願の相互参照）
本願は、米国仮出願第６２／１１１，９２７号（出願日２０１５年２月４日）の利益を主張するものである。本願は、同時係属中の米国仮出願第６２／１８４，０７６号（出願日２０１５年６月２４日）、第６２／１１２，０６０号（出願日２０１５年２月４日）、第６２／２１９，６０６号（出願日２０１５年９月１６日）、第６２／２６１，１０４号（出願日２０１５年１１月３０日）に関連している。これらおよび全てのその他の米国特許および出願公開ならびに以下で参照される同時係属中の出願の全体の内容は、参照により本明細書中に援用される。
【０００２】
本開示の側面は、低減された残留電圧を伴う電気光学ディスプレイおよび電気光学ディスプレイ内の残留電圧を低減させるための技法に関する。いくつかの実施形態は、低減された残留電圧を伴う電気泳動ディスプレイおよび電気泳動ディスプレイ内の残留電圧を低減させるための技法に関する。
【発明の概要】
【課題を解決するための手段】
【０００３】
電気光学ディスプレイが比較的に長い時間期間にわたって静止した後であっても、電気光学ディスプレイの残留電圧は、残留し得る。低残留電圧であっても、電気光学ディスプレイにおいてアーチファクトをもたらし得る。したがって、電気光学ディスプレイの残留電圧を放電することは、残留電圧がすでに低い状況であっても、表示された画像の品質を改良し得る。しかしながら、電気光学ディスプレイの残留電圧を放電するための従来の技法は、残留電圧を完全に放電しない場合がある。したがって、電気光学ディスプレイから残留電圧をより完全に放電するための技法が、必要とされる。
【０００４】
電気光学ディスプレイのピクセルの残留電圧は、ピクセルのトランジスタをアクティブ化させ、ピクセルの前面および背面電極の電圧をほぼ同一の値に設定することによって放電され得る。ピクセルは、規定された時間期間にわたって、および／またはピクセル内に残留する残留電圧の量がある閾値量を下回るまで、残留電圧を放電し得る。電気光学ディスプレイのピクセルのアクティブマトリクスの２つまたはそれを上回る行における２つまたはそれを上回るピクセルの残留電圧（例えば、２つもしくはそれを上回る行における全てのピクセルの残留電圧または全ての行における全てのピクセルの残留電圧）は、選択されたピクセルを、（１）各選択されたピクセルのトランジスタがアクティブであること、および（２）各選択されたピクセルの前面および背面電極に印加される電圧がほぼ等しいことによって特徴付けられる、同一の状態に置くことによって同時に放電され得る。
本発明は、例えば、以下を提供する。
（項目１）
複数のピクセルを有するアクティブマトリクス電気光学ディスプレイの残留電圧を低減させる方法であって、
複数の行における複数のピクセルトランジスタを同時に関与させるようにドライバを設定するステップと、
前面電極および背面電極にほぼ同一の電圧を印加するステップと、
ゲート電圧に複数のピクセルトランジスタをアクティブ化させるために十分な電圧を印加するステップと、
を含む、方法。
（項目２）
ｎ型ピクセルトランジスタをさらに備え、前記ゲート電圧は、約３００ｍＶまたはそれを上回る、項目１に記載の方法。
（項目３）
ｎ型ピクセルトランジスタをさらに備え、前記ゲート電圧は、約４５０ｍＶまたはそれを上回る、項目１に記載の方法。
（項目４）
ｎ型ピクセルトランジスタをさらに備え、前記ゲート電圧は、約７００ｍＶまたはそれを上回る、項目１に記載の方法。
（項目５）
ｎ型ピクセルトランジスタをさらに備え、前記ゲート電圧は、約１Ｖまたはそれを上回る、項目１に記載の方法。
（項目６）
ｎ型ピクセルトランジスタをさらに備え、前記ゲート電圧は、約２Ｖまたはそれを上回る、項目１に記載の方法。
（項目７）
ｎ型ピクセルトランジスタをさらに備え、前記ゲート電圧は、約２Ｖ〜約８Ｖである、項目１に記載の方法。
（項目８）
ｎ型ピクセルトランジスタをさらに備え、前記ゲート電圧は、約１Ｖ〜約２５Ｖである、項目１に記載の方法。
（項目９）
ｎ型ピクセルトランジスタをさらに備え、前記ゲート電圧は、ピクセルトランジスタのアクティブ化電圧と等しい、またはそれを上回る、項目１に記載の方法。
（項目１０）
ｐ型ピクセルトランジスタをさらに備え、前記ゲート電圧は、約−３００ｍＶまたはそれを下回る、項目１に記載の方法。
（項目１１）
ｐ型ピクセルトランジスタをさらに備え、前記ゲート電圧は、約−４５０ｍＶまたはそれを下回る、項目１に記載の方法。
（項目１２）
ｐ型ピクセルトランジスタをさらに備え、前記ゲート電圧は、約−７００ｍＶまたはそれを下回る、項目１に記載の方法。
（項目１３）
ｐ型ピクセルトランジスタをさらに備え、前記ゲート電圧は、約−１Ｖまたはそれを下回る、項目１に記載の方法。
（項目１４）
ｐ型ピクセルトランジスタをさらに備え、前記ゲート電圧は、約−２Ｖまたはそれを下回る、項目１に記載の方法。
（項目１５）
ｐ型ピクセルトランジスタをさらに備え、前記ゲート電圧は、約−２Ｖ〜約−８Ｖである、項目１に記載の方法。
（項目１６）
ｐ型ピクセルトランジスタをさらに備え、前記ゲート電圧は、約−１Ｖ〜約−２５Ｖである、項目１に記載の方法。
（項目１７）
ｐ型ピクセルトランジスタをさらに備え、前記ゲート電圧は、ピクセルトランジスタのアクティブ化電圧と等しい、またはそれを下回る、項目１に記載の方法。
（項目１８）
前記電圧は、設定された持続時間にわたって印加される、項目１に記載の方法。
（項目１９）
前記電圧は、約５０ミリ秒〜約３００ミリ秒にわたって印加される、項目１８に記載の方法。
（項目２０）
前記電圧は、約３００ミリ秒〜約５００ミリ秒にわたって印加される、項目１８に記載の方法。
（項目２１）
前記電圧は、約５００ミリ秒〜約１秒にわたって印加される、項目１８に記載の方法。
（項目２２）
前記電圧は、約５００ミリ秒〜約３秒にわたって印加される、項目１８に記載の方法。
（項目２３）
前記電圧は、約３秒またはそれよりも長く印加される、項目１８に記載の方法。
（項目２４）
前記電圧は、設定された残留電圧値が達成されるまで印加される、項目１に記載の方法。
（項目２５）
前記電圧は、前記残留電圧値が１Ｖと等しくなる、またはそれを下回るまで印加される、項目２４に記載の方法。
（項目２６）
前記電圧は、前記残留電圧値が約５００ｍＶと等しくなる、またはそれを下回るまで印加される、項目２４に記載の方法。
（項目２７）
前記電圧は、前記残留電圧値が約３００ｍＶと等しくなる、またはそれを下回るまで印加される、項目２４に記載の方法。
（項目２８）
前記電圧は、前記残留電圧値が約１００ｍＶと等しくなる、またはそれを下回るまで印加される、項目２４に記載の方法。
（項目２９）
前記電圧は、前記残留電圧値が約０ｍＶになるまで印加される、項目２４に記載の方法。
（項目３０）
前記ピクセルトランジスタの実質的に全てが、同時にアクティブ化される、項目１に記載の方法。
（項目３１）
前記前面および背面電極に印加される電圧は、０Ｖを上回る、またはそれを下回る、項目１に記載の方法。
（項目３２）
前記電気光学ディスプレイは、電気泳動ディスプレイである、項目１に記載の方法。
（項目３３）
浮遊停留期間をさらに備え、前記ゲート電圧は、設定された持続時間にわたって、または設定された残留電圧値が達成されるまで、前記ピクセルトランジスタを非アクティブ化する値に設定される、項目１に記載の方法。
（項目３４）
複数のｎ型ピクセルトランジスタと、低レベルゲートライン、高レベルゲートライン、前面電極、およびソースラインに電圧を印加することが可能なコントローラとを有する、アクティブマトリクス電気光学ディスプレイの残留電圧を低減させる方法であって、
前記低レベルゲートラインに正電圧を印加するステップと、
前記ソースラインを接地するステップと、
前記前面電極を接地するステップと、
を含む、方法。
（項目３５）
前記電気光学ディスプレイは、電気泳動ディスプレイである、項目３４に記載の方法。
（項目３６）
複数のｐ型ピクセルトランジスタと、低レベルゲートライン、高レベルゲートライン、前面電極、およびソースラインに電圧を印加することが可能なコントローラとを有する、アクティブマトリクス電気光学ディスプレイの残留電圧を低減させる方法であって、
前記低レベルゲートラインに負電圧を印加するステップと、
前記ソースラインを接地するステップと、
前記前面電極を接地するステップと、
を含む、方法。
（項目３７）
前記電気光学ディスプレイは、電気泳動ディスプレイである、項目３６に記載の方法。
（項目３８）
複数のｎ型ピクセルトランジスタと、低レベルゲートライン、高レベルゲートライン、前面電極、正のソースライン、および負のソースラインに電圧を印加することが可能なコントローラとを有する、アクティブマトリクス電気光学ディスプレイの残留電圧を低減させる方法であって、
前記前面電極に負電圧を印加するステップと、
前記ソースラインに前記前面電極とほぼ同一の負電圧を印加するステップと、
前記低レベルゲートラインおよび前記高レベルゲートラインを接地するステップと、
を含む、方法。
（項目３９）
前記電気光学ディスプレイは、電気泳動ディスプレイである、項目３８に記載の方法。
（項目４０）
複数のｐ型ピクセルトランジスタと、低レベルゲートライン、高レベルゲートライン、前面電極、正のソースライン、および負のソースラインに電圧を印加することが可能なコントローラとを有する、アクティブマトリクス電気光学ディスプレイの残留電圧を低減させる方法であって、
前記前面電極に正電圧を印加するステップと、
前記ソースラインに前記前面電極とほぼ同一の正電圧を印加するステップと、
前記低レベルゲートラインまたは前記高レベルゲートラインを接地するステップと、
を含む、方法。
（項目４１）
前記電気光学ディスプレイは、電気泳動ディスプレイである、項目４０に記載の方法。
（項目４２）
複数のピクセルを有するセグメント化電気光学ディスプレイの残留電圧を低減させる方法であって、ほぼ同一の電圧を前面電極および背面電極に印加するステップを含む、方法。
（項目４３）
前記電気光学ディスプレイは、電気泳動ディスプレイである、項目４２に記載の方法。
【図面の簡単な説明】
【０００５】
本願の種々の側面および実施形態が、以下の図を参照して説明される。図は、必ずしも、縮尺通りに描かれないことを理解されたい。複数の図に現れる物品は、それらが現れる全ての図において同一の参照番号によって示される。
【０００６】
【図１】図１は、いくつかの実施形態による、電気光学ディスプレイのピクセルの概略例証である。
【０００７】
【図２】図２は、いくつかの実施形態による、撮像フィルムの電気モデルの概略例証である。
【０００８】
【図３】図３は、いくつかの実施形態による、残留電圧放電パルスが続くアドレス指定パルスを例証する。
【０００９】
【図４】図４は、いくつかの実施形態による、残留電圧放電パルスが続くアドレス指定パルスを例証する。
【００１０】
【図５Ａ】図５Ａは、図５Ｂに示されるドライバ回路に関する信号タイミング図である。
【図５Ｂ】図５Ａは、図５Ｂに示されるドライバ回路に関する信号タイミング図である。
【００１１】
【図６Ａ】図６Ａは、図６Ｂに示されるドライバ回路に関する信号タイミング図である。
【図６Ｂ】図６Ａは、図６Ｂに示されるドライバ回路に関する信号タイミング図である。
【００１２】
【図７Ａ】図７Ａは、いくつかの実施形態による、印加された電圧の範囲にわたる残留電荷の繰り返し排出後に測定された残留電圧値を示す、グラフである。
【００１３】
【図７Ｂ】図７Ｂは、いくつかの実施形態による、印加された電圧の範囲に対する残留電荷の４０回繰り返し排出後に測定された残留電圧値を示す、グラフである。
【発明を実施するための形態】
【００１４】
電気光学ディスプレイのピクセルの残留電圧は、ピクセルのトランジスタをアクティブ化し、ピクセルの前面および背面電極の電圧をほぼ同一の電圧に設定することによって、規定された時間期間にわたって、および／またはピクセル内に残留する残留電圧の量がある閾値量を下回るまで放電され得る。電気光学ディスプレイのアクティブマトリクスピクセルの残留電圧は、選択されたピクセルを、（１）各選択されたピクセルのトランジスタがアクティブであること、および（２）各選択されたピクセルの前面および背面電極に印加される電圧がほぼ等しいことによって特徴付けられる、同一の状態に置くことによって同時に放電され得る。
【００１５】
用語「残留電圧」は、アドレス指定パルス（電気光学媒体の光学状態を変化させるために使用される電圧パルス）が終了した後、電気光学ディスプレイ内に残留し得る持続的または減衰電圧（これは、開回路電位とも称され得、典型的には、ボルトまたはミリボルトにおいて測定される）を指すように本明細書で使用される。そのような残留電圧は、限定ではないが、ディスプレイが書き換えられた後、以前の画像の痕跡が依然として可視である、いわゆる「残影」現象を含む、電気光学ディスプレイ上に表示される画像に対して望ましくない影響をもたらし得る。
【００１６】
電気光学ディスプレイは、電気光学材料の層を含み、その用語は、撮像技術におけるその従来の意味において、少なくとも１つの光学特性において異なる第１および第２のディスプレイ状態を有する材料であって、材料への電場の印加によってその第１のディスプレイ状態からその第２のディスプレイ状態に変化する材料を指すように本明細書で使用される。光学特性は、ヒトの眼に知覚可能な色であり得るが、これは、光伝送、反射率、発光、または機械読取を意図されるディスプレイの場合では、可視範囲外の電磁波長の反射率の変更という意味の疑似カラー等の別の光学特性でもあり得る。
【００１７】
本開示のディスプレイでは、電気光学媒体は、電気光学媒体が固体外面を有するという意味で、固体であり得る（そのようなディスプレイは、便宜上、以降では、「固体電気光学ディスプレイ」と称され得る）が、媒体は、内部液体または気体充填空間を有し得、多くの場合、それを有する。したがって、用語「固体電気光学ディスプレイ」は、カプセル化電気泳動ディスプレイ、カプセル化液晶ディスプレイ、および以下に議論される他のタイプのディスプレイを含む。
【００１８】
用語「グレー状態」は、撮像技術におけるその従来の意味において、ピクセルの２つの極限光学状態の中間の状態を指すように本明細書で使用され、必ずしも、これら２つの極限状態の間の黒−白遷移を示唆するわけではない。例えば、以下で参照される特許および公開出願のうちのいくつかは、中間の「グレー状態」が実際には淡い青色となるであろうように、極限状態が白色および濃い青色である、電気泳動ディスプレイを説明する。実際、すでに言及されているように、２つの極限状態間の遷移は、変色では全くない場合がある。
【００１９】
用語「双安定」および「双安定性」は、本明細書では、当分野におけるそれらの従来の意味において使用されており、少なくとも１つの光学特性において異なる第１および第２のディスプレイ状態を有するディスプレイ要素を含むディスプレイであって、任意の所与の要素が駆動された後、有限持続時間のアドレス指定パルスを用いて、その第１または第２のディスプレイ状態のいずれかを呈し、アドレス指定パルスが終了した後に、ディスプレイ要素の状態を変化させるために使用されるアドレス指定パルスの最小持続時間の少なくとも数倍、例えば、少なくとも４倍、その状態が持続するであろうディスプレイを指す。グレースケール対応のいくつかの粒子ベースの電気泳動ディスプレイが、それらの極限の黒色および白色状態においてだけではなく、また、それらの中間グレー状態においても安定しており、いくつかの他のタイプの電気光学ディスプレイに関しても同様であることが、公開済米国特許出願第２００２／０１８０６８７号に示されている。このタイプのディスプレイは、双安定ではなく、適切には「多安定」と呼ばれるが、便宜上、用語「双安定」が、双安定性および多安定性ディスプレイの両方を網羅するように本明細書で使用され得る。
【００２０】
用語「インパルス」は、時間に対する電圧の積分の撮像技術におけるその従来の意味において、本明細書で使用される。しかしながら、いくつかの双安定性電気光学媒体は、電荷トランスデューサとして作用し、そのような媒体では、インパルスの代替的な定義、すなわち、経時的な電流の積分（これは、印加される全電荷に等しい）が使用され得る。媒体が電圧−時間インパルストランスデューサまたは電荷インパルストランスデューサとして作用するかどうかに応じて、インパルスの適切な定義が、使用されるべきである。
【００２１】
いくつかのタイプの電気光学ディスプレイが、公知である。１つのタイプの電気光学ディスプレイは、例えば、米国特許第５，８０８，７８３号、第５，７７７，７８２号、第５，７６０，７６１号、第６，０５４，０７１号、第６，０５５，０９１号、第６，０９７，５３１号、第６，１２８，１２４号、第６，１３７，４６７号、および第６，１４７，７９１号に説明されるような回転２色部材タイプである（但し、このタイプのディスプレイは、多くの場合、「回転２色球」ディスプレイと称されるが、上記に言及される特許のいくつかでは、回転部材は球形ではないため、用語「回転２色部材」が、より正確なものとして好ましい）。そのようなディスプレイは、異なる光学特性を伴う２つまたはそれを上回る区分と、内部双極子とを有する、多数の小型の本体（これは、限定ではないが、球形または円筒形であり得る）を使用する。これらの本体は、マトリクス内の液体充填液胞内に懸濁され、液胞は、本体が回転自在であるように、液体で充填される。ディスプレイの外観は、それに電場を印加することによって変化され、したがって、種々の位置に本体を回転し、本体のどの区分が視認表面を通して見られるかを変動させる。このタイプの電気光学媒体は、双安定性であり得る。
【００２２】
別のタイプの電気光学ディスプレイは、エレクトロクロミック媒体、例えば、少なくとも部分的に半導電性金属酸化物から形成される電極と、電極に取り付けられる、可逆変色が可能な複数の色素分子とを備える、ナノクロミックフィルムの形態のエレクトロクロミック媒体を使用し、例えば、Ｏ'Ｒｅｇａｎ，  Ｂ．，  ｅｔ  ａｌ．による「Ｎａｔｕｒｅ」（１９９１年、３５３、７３７）およびＷｏｏｄ，  Ｄ．による「Ｉｎｆｏｒｍａｔｉｏｎ  Ｄｉｓｐｌａｙ」（１８（３）、２４（２００２年３月））を参照されたい。また、Ｂａｃｈ，  Ｕ．，  ｅｔ  ａｌ．による「Ａｄｖ．  Ｍａｔｅｒ」（２００２年、１４（１１）、８４５）も参照されたい。このタイプのナノクロミックフィルムはまた、例えば、米国特許第６，３０１，０３８号、国際出願公開第ＷＯ  ０１／２７６９０号、および米国特許出願第２００３／０２１４６９５号にも説明される。このタイプの媒体は、双安定性であり得る。
【００２３】
別のタイプの電気光学ディスプレイは、粒子ベースの電気泳動ディスプレイであり、複数の荷電粒子が、電場の影響下で懸濁流体を通して移動する。いくつかの属性の電気泳動ディスプレイが、「Ｍｅｔｈｏｄｓ  ｆｏｒ  Ａｄｄｒｅｓｓｉｎｇ  Ｅｌｅｃｔｒｏｐｈｏｒｅｔｉｃ  Ｄｉｓｐｌａｙｓ」と題され、２００３年３月１１日に発行された、米国特許第６，５３１，９９７号（本明細書にその全体として組み込まれる）に説明されている。
【００２４】
電気泳動ディスプレイは、液晶ディスプレイと比較されると、良好な輝度およびコントラスト、広視野角、状態の双安定性、ならびに低電力消費の属性を有することができる。それにもかかわらず、いくつかの粒子ベースの電気泳動ディスプレイの長期間の画像品質に伴う問題が、存在し得る。例えば、いくつかの電気泳動ディスプレイを構成する粒子は、沈降し、そのようなディスプレイに対して不適正な運用寿命をもたらし得る。
【００２５】
上記に留意されるように、電気泳動媒体は、懸濁流体を含み得る。この懸濁流体は、液体であり得るが、電気泳動媒体は、ガス状懸濁流体を使用して生産されることができ、例えば、Ｋｉｔａｍｕｒａ，  Ｔ．，ｅｔ  ａｌによる「Ｅｌｅｃｔｒｉｃａｌ  ｔｏｎｅｒ  ｍｏｖｅｍｅｎｔ  ｆｏｒ  ｅｌｅｃｔｒｏｎｉｃ  ｐａｐｅｒ−ｌｉｋｅ  ｄｉｓｐｌａｙ」（ＩＤＷ  Ｊａｐａｎ、２００１年、Ｐａｐｅｒ  ＨＣＳ１−１）およびＹａｍａｇｕｃｈｉ，  Ｙ．，  ｅｔ  ａｌ．による「Ｔｏｎｅｒ  ｄｉｓｐｌａｙ  ｕｓｉｎｇ  ｉｎｓｕｌａｔｉｖｅ  ｐａｒｔｉｃｌｅｓ  ｃｈａｒｇｅｄ  ｔｒｉｂｏｅｌｅｃｔｒｉｃａｌｌｙ」（ＩＤＷ  Ｊａｐａｎ、２００１年、Ｐａｐｅｒ  ＡＭＤ４−４）を参照されたい。また、欧州特許出願第１，４２９，１７８号、第１，４６２，８４７号、および第１，４８２，３５４号、ならびに国際出願第ＷＯ  ２００４／０９０６２６号、第ＷＯ  ２００４／０７９４４２号、第ＷＯ  ２００４／０７７１４０号、第ＷＯ  ２００４／０５９３７９号、第ＷＯ  ２００４／０５５５８６号、第ＷＯ  ２００４／００８２３９号、第ＷＯ  ２００４／００６００６号、第ＷＯ  ２００４／００１４９８号、第ＷＯ  ０３／０９１７９９号、および第ＷＯ  ０３／０８８４９５号も参照されたい。いくつかの気体ベースの電気泳動媒体は、例えば、媒体が垂直面に配置される標識において、媒体がそのような沈降を可能にする配向において使用されるとき、粒子沈降に起因して、いくつかの液体ベースの電気泳動媒体と同一のタイプの問題を起こしやすくあり得る。実際、沈降する粒子は、液体のものと比較するとガス状懸濁流体のより低い粘性が、電気泳動粒子のより急速な沈降を可能にするため、いくつかの液体ベースのものにおいてよりも、いくつかの気体ベースの電気泳動媒体においてより深刻な問題になると考えられる。
【００２６】
Ｍａｓｓａｃｈｕｓｅｔｔｓ  Ｉｎｓｔｉｔｕｔｅ  ｏｆ  Ｔｅｃｈｎｏｌｏｇｙ（ＭＩＴ）およびＥ  Ｉｎｋ  Ｃｏｒｐｏｒａｔｉｏｎに譲渡された、またはそれらの名義である多数の特許および公開済特許出願が、カプセル化電気泳動媒体を説明している。そのようなカプセル化媒体は、多数の小カプセルを備え、それぞれそれ自体が、液体懸濁媒体において懸濁される電気泳動的可動粒子を含有する内相と、内相を囲繞するカプセル壁とを備える。カプセルは、２つの電極間に位置付けられるコヒーレント層を形成するために、ポリマーバインダ内に保持され得る。このタイプのカプセル化媒体は、例えば、
【化１】
0006613311.tif 000002
に説明されている。
【００２７】
前述の特許および出願の多くは、カプセル化電気泳動媒体内の離散マイクロカプセルを囲繞する壁が、連続相によって置換され、したがって、いわゆるポリマー分散型電気泳動ディスプレイを生産し得、電気泳動媒体は、電気泳動流体の複数の離散液滴と、ポリマー材料の連続相とを備え、そのようなポリマー分散型電気泳動ディスプレイ内の電気泳動流体の離散液滴は、いかなる離散カプセル膜も各個々の液滴と関連付けられないにもかかわらず、カプセルまたはマイクロカプセルとして見なされ得ることを認識し、例えば、前述の第２００２／０１３１１４７号を参照されたい。故に、本願の目的のために、そのようなポリマー分散型電気泳動媒体は、カプセル化電気泳動媒体の亜種として見なされる。
【００２８】
関連するタイプの電気泳動ディスプレイは、いわゆる「マイクロセル電気泳動ディスプレイ」である。マイクロセル電気泳動ディスプレイでは、荷電粒子および懸濁流体は、マイクロカプセル内にカプセル化されず、代わりに、伝搬媒体、例えば、ポリマーフィルム内に形成される複数の空洞内に保持される。例えば、両方ともがＳｉｐｉｘ  Ｉｍａｇｉｎｇ，  Ｉｎｃに譲渡された、国際出願公開第ＷＯ  ０２／０１２８１号および公開済米国出願第２００２／００７５５５６号を参照されたい。
【００２９】
前述のＥ  ＩｎｋならびにＭＩＴ特許および出願の多くはまた、マイクロセル電気泳動ディスプレイおよびポリマー分散型電気泳動ディスプレイを想定している。用語「カプセル化電気泳動ディスプレイ」は、全てのそのようなディスプレイタイプを指し得、これはまた、壁の形態にわたって一般化するために、「マイクロキャビティ電気泳動ディスプレイ」として集合的に説明され得る。
【００３０】
別のタイプの電気光学ディスプレイは、Ｐｈｉｌｉｐｓによって開発され、Ｈａｙｅｓ，  Ｒ．  Ａ．，  ｅｔ  ａｌによる「Ｖｉｄｅｏ−Ｓｐｅｅｄ  Ｅｌｅｃｔｒｏｎｉｃ  Ｐａｐｅｒ  Ｂａｓｅｄ  ｏｎ  Ｅｌｅｃｔｒｏｗｅｔｔｉｎｇ」（Ｎａｔｕｒｅ，４２５，３８３−３８５（２００３年））に説明されている、エレクトロウェッティングディスプレイである。２００４年１０月６日に出願された係属中の出願第１０／７１１，８０２号において、そのようなエレクトロウェッティングディスプレイが、双安定性に作製され得ることが示されている。
【００３１】
他のタイプの電気光学材料もまた、使用され得る。特に着目されることとして、双安定性強誘電体液晶ディスプレイ（ＦＬＣ）が、当分野において公知であり、残留電圧挙動を呈している。
【００３２】
電気泳動媒体は、不透明であり（例えば、多くの電気泳動媒体では、粒子は、ディスプレイを通した可視光の伝送を実質的に遮断するため）、反射モードで動作するが、いくつかの電気泳動ディスプレイは、１つのディスプレイ状態が実質的に不透明であり、１つが光透過性である、いわゆる「シャッタモード」で動作するように作製され得る。例えば、特許米国特許第６，１３０，７７４号および第６，１７２，７９８号、ならびに米国特許第５，８７２，５５２号、第６，１４４，３６１号、第６，２７１，８２３号、第６，２２５，９７１号、および第６，１８４，８５６号を参照されたい。電気泳動ディスプレイと類似するが、電場強度における変動に依拠する誘電泳動ディスプレイは、類似するモードで動作することができ、米国特許第４，４１８，３４６号を参照されたい。他のタイプの電気光学ディスプレイもまた、シャッタモードで動作することが可能であり得る。
【００３３】
カプセル化またはマイクロセル電気泳動ディスプレイは、伝統的電気泳動デバイスの集塊化および沈降失敗モードに悩まされない場合があり、多種多様な可撓性および剛性基板上にディスプレイを印刷またはコーティングする能力等のさらなる利点を提供し得る。（単語「印刷」の使用は、限定ではないが、パッチダイコーティング、スロットまたは押出コーティング、スライドまたはカスケードコーティング、カーテンコーティング等の事前計量コーティング、ナイフオーバーロールコーティング、フォワード・リバースロールコーティング等のロールコーティング、グラビアコーティング、浸漬コーティング、スプレーコーティング、メニスカスコーティング、スピンコーティング、ブラシコーティング、エアナイフコーティング、シルクスクリーン印刷プロセス、静電印刷プロセス、感熱印刷プロセス、インクジェット印刷プロセス、電気泳動堆積、および他の類似する技法を含む、あらゆる形態の印刷およびコーティングを含むことが意図される。）したがって、結果として生じるディスプレイは、可撓性であり得る。さらに、ディスプレイ媒体は（種々の方法を使用して）印刷されることができるため、ディスプレイ自体は、安価に作製されることができる。
【００３４】
粒子ベースの電気泳動ディスプレイ、および類似する挙動を表示する他の電気光学ディスプレイ（そのようなディスプレイは、便宜上、以降では、「インパルス駆動ディスプレイ」と称され得る）の双安定性または多安定性挙動は、液晶ディスプレイ（「ＬＣＤ」）のものと好対照である。ねじれネマチック液晶は、双安定性または多安定性ではないが、電圧トランスデューサとして作用し、したがって、そのようなディスプレイのピクセルに所与の電場を印加することは、ピクセルに以前存在していたグレーレベルにかかわらず、ピクセルにおいて具体的グレーレベルを生産する。さらに、ＬＣディスプレイは、１つの方向（非透過性または「暗」から透過性または「明」）にしか駆動されず、電場を低減または排除することによって、より明るい状態からより暗い状態への逆遷移がもたらされる。また、ＬＣディスプレイのピクセルのグレーレベルは、電場の極性ではなく、その大きさのみに対して感受性があり、実際に技術的理由から、商業的ＬＣディスプレイは、通常、頻繁な間隔で駆動場の極性を逆転させる。対照的に、双安定性電気光学ディスプレイは、第１の近似に対して、インパルストランスデューサとして作用し、したがって、ピクセルの最終状態は、印加される電場およびこの電場が印加される時間だけではなく、電場の印加に先立つピクセルの状態にも依存する。
【００３５】
高分解能ディスプレイは、隣接するピクセルからの干渉を伴わずにアドレス指定可能である、個々のピクセルを含み得る。そのようなピクセルを取得するための一方法は、少なくとも１つの非線形要素が各ピクセルと関連付けられる、トランジスタまたはダイオード等の非線形要素のアレイを提供し、「アクティブマトリクス」ディスプレイを生産することである。１つのピクセルをアドレス指定する、アドレス指定またはピクセル電極が、関連付けられる非線形要素を通して適切な電圧源に接続される。非線形要素がトランジスタであるとき、ピクセル電極は、トランジスタのドレインに接続され得、本配列は、以下の説明で仮定されるであろうが、本質的に恣意的であり、ピクセル電極は、トランジスタのソースに接続され得る。高分解能アレイでは、ピクセルは、行および列の２次元アレイにおいて配列され得、したがって、任意の具体的ピクセルは、１つの規定された行および１つの規定された列の交差点によって一意に画定される。各列における全てのトランジスタのソースは、単一の列電極に接続され得る一方、各行における全てのトランジスタのゲートは、単一の行電極に接続され得、再び、行へのソースおよび列へのゲートの割当は、所望される場合、逆転されてもよい。
【００３６】
ディスプレイは、行毎の様式で書き込まれてもよい。行電極は、行ドライバに接続され、これは、選択された行における全てのトランジスタが導電性であることを確実にする等のために、選択された行電極に電圧を印加する一方、これらの選択されていない行における全てのトランジスタが非導電性のままであることを確実にする等のために、全ての他の行に電圧を印加し得る。列電極は、列ドライバに接続され、これは、選択された行におけるピクセルをその所望される光学状態に駆動するように選択された電圧を種々の列電極に印加する。（前述の電圧は、非線形アレイから電気光学媒体の対向する側に提供され得、ディスプレイ全体を横断して延在する、一般的な前面電極に対するものである。当分野で公知であるように、電圧は、相対的であり、２点間の電荷差の測度である。１つの電圧値は、別の電圧値に相対的である。例えば、ゼロ電圧（「０Ｖ」）は、別の電圧に対していかなる電圧差も有していないことを指す。）「ラインアドレス時間」として公知である事前選択された間隔後、選択された行は、選択解除され、別の行が、選択され、列ドライバ上の電圧は、ディスプレイの次のラインが書き込まれるように変更される。
【００３７】
出願第２００３／０１３７５２１号は、直流（ＤＣ）不平衡波形が生成されている残留電圧をどのようにもたらし得るかを説明しており、この残留電圧は、ディスプレイピクセルの開回路電気化学電位を測定することによって確認可能である。
【００３８】
前述の係属中の出願において詳細に説明される理由から、電気光学ディスプレイを駆動するとき、ＤＣ平衡される駆動スキーム、すなわち、光学状態の任意のシーケンスに関して、最終光学状態が初期光学状態と合致するときは常に、印加される電圧の積分がゼロである性質を有するものを使用することが望ましい。これは、電気光学層が被る正味ＤＣ不平衡が、既知の値によって境界されることを保証する。例えば、１５Ｖ、３００ミリ秒パルスが、電気光学層を白色状態から黒色状態に駆動するために使用され得る。この遷移の後、撮像層は、４．５ボルト秒（Ｖ・ｓ）のＤＣ不平衡インパルスを被ることになる。フィルムを白色に戻すように駆動するために、−１５Ｖ、３００ミリ秒パルスが使用される場合、撮像層は、白色から黒色、次いで、黒色から白色への一連の遷移を横断してＤＣ平衡される。
【００３９】
現在、残留電圧は、電気泳動および他のインパルス駆動電気光学ディスプレイにおいて、原因および結果の両方においてより一般的な現象であることが見出されている。また、ＤＣ不平衡が、いくつかの電気泳動ディスプレイの長期寿命劣化を引き起こし得ることも見出されている。
【００４０】
本開示に説明されるいくつかの実施形態では、残留電圧は、電気泳動ディスプレイにおいて、長い時間期間（例えば、数時間または数日）にわたって切り替えられていないサンプルを用いて開始することによって測定されてもよい。電圧計が、開ピクセル回路を横断して適用され、「ベース電圧」読取値が、測定される。電場、例えば、スイッチング波形が、ピクセルに印加される。波形が終了した直後、電圧計は、一連の期間にわたって開回路電位を測定するために使用され、測定された読取値と元々のベース電圧との間の差異が、「残留電圧」であり得る。
残留電圧は、指数関数の和として数学的に緩やかに近似され得る複雑な様式で減衰し得る。いくつかの実験では、１５Ｖが、約１秒にわたって電気光学媒体を横断して印加された。この電圧パルスの終了直後、＋３Ｖ〜−３Ｖの残留電圧が、測定され、１秒後に、＋１Ｖ〜−１Ｖの残留電圧が、測定され、１０分後に、残留電圧は、（元々のベース電圧に対して）ほぼゼロであった。
【００４１】
用語「残留電圧」は、時として、全体的現象を指す便宜上の用語として本明細書で使用される。しかしながら、インパルス駆動電気光学ディスプレイのスイッチング挙動に関する基準は、電気光学媒体を横断する電圧インパルス（時間に対する電圧の積分）の印加である。残留電圧は、駆動パルスの印加直後にピーク値に到達し得、その後、実質的に指数関数的に減衰し得る。有意な時間期間にわたる残留電圧の持続は、「残留インパルス」を電気光学媒体に印加し、厳密に言えば、残留電圧ではなく、この残留インパルスは、通常、残留電圧によって引き起こされると見なされる、電気光学ディスプレイの光学状態に対する影響に関与し得る。
【００４２】
理論的には、残留電圧の影響は、残留インパルスに直接対応するはずである。しかしながら、実践では、インパルススイッチングモデルは、低電圧において正確度を失い得る。いくつかの電気光学媒体は、ある閾値を有し、したがって、約１Ｖの残留電圧は、駆動バルスが終了した後、媒体の光学状態において顕著な変化を引き起こさない場合がある。しかしながら、本明細書に説明される実験において使用される好ましい電気泳動媒体を含む、他の電気光学媒体では、約０．５Ｖの残留電圧が、光学状態において顕著な変化を引き起こし得る。したがって、２つの等価残留インパルスは、実際の結果において異なり得、電気光学媒体の閾値を増加させ、残留電圧の影響を低減させることが、有用であり得る。Ｅ  Ｉｎｋは、いくつかの状況において被る残留電圧が、駆動パルスが終了した後、ディスプレイ画像を直ちに変化させることを防止するために適正な「小閾値」を有する電気泳動媒体を生産している。閾値が不適正である場合、または残留電圧が高すぎる場合、ディスプレイは、キックバック／自己消去または自己改善現象を提示し得る。
【００４３】
残留電圧が小さい閾値を下回るときであっても、それらは、次の画像更新が起こるときに依然として持続している場合、画像スイッチングに対して深刻な影響を及ぼし得る。例えば、電気泳動ディスプレイの画像更新中、＋／−１５Ｖの駆動電圧が、電気泳動粒子を移動させるために印加されると仮定する。＋１Ｖの残留電圧が従来の更新から持続している場合、駆動電圧は、事実上、＋１５Ｖ／−１５Ｖから＋１６Ｖ／−１４Ｖに偏移されるであろう。その結果、ピクセルは、これが正または負の残留電圧を有するかに応じて、暗色または白色状態に向かってバイアスされるであろう。さらに、この影響は、残留電圧の減衰率に起因して、経過時間とともに変動する。以前の画像更新の直後に１５Ｖ、３００ミリ秒駆動パルスを使用して白色に切り替えられたピクセル内の電気光学材料は、実際には、３００ミリ秒にわたって１６Ｖに近似する波形を被り得る一方、全く同一の駆動パルス（１５Ｖ、３００ミリ秒）を使用して１分後に白色に切り替えられたピクセル内の材料は、実際には、３００ミリ秒にわたって１５．２Ｖに近似する波形を被り得る。その結果、ピクセルは、顕著に異なる濃淡の白色を示し得る。
【００４４】
残留電圧場が、従来の画像（つまり、白色背景上の暗色線）によって複数のピクセルを横断して生成されている場合、残留電圧もまた、類似するパターンでディスプレイを横断して配列され得る。実際面では、ディスプレイ性能に対する残留電圧の最も顕著な影響は、残影であり得る。この問題は、先に留意された問題、すなわち、そのＤＣ不平衡（例えば、１５Ｖ／１５Ｖの代わりに１６Ｖ／１４Ｖ）に加えて、電気光学媒体の緩慢な寿命劣化の原因であり得る。
【００４５】
残留電圧が緩慢に減衰し、ほぼ一定である場合、波形を偏移させる際のその影響は、画像の更新から更新まで変動せず、実際には、迅速に減衰する残留電圧よりも少ない残影を生成し得る。したがって、１０分後に１つのピクセルを更新し、１１分後に別のピクセルを更新することによって被る残影は、直ちに１つのピクセルを更新し、１分後に別のピクセルを更新することによって被る残影よりもはるかに少ない。逆に、迅速に減衰するため、次の更新が起こる前にゼロに近似する残留電圧は、実践では、いかなる検出可能な残影も引き起こし得ない。
【００４６】
上記の議論から明白であろうように、残留電圧の一部の影響は、残留インパルスを最小限にすることによって低減され得、これは、ピーク残留電圧を低減させることによって、または減衰率を増加させることによって遂行され得る。理論的には、駆動パルスの完了後に残留電圧を瞬間的かつ完全に測定することが可能である場合、ピーク残留電圧は、駆動パルスの電圧とほぼ等しい大きさであるが、反対の符号であろうことが予測され得る。実践では、残留電圧の大部分は、非常に迅速に（例えば、２０ミリ秒を下回って）減衰すると考えられるため、実験的に測定される「ピーク」残留電圧は、はるかに小さい。したがって、「ピーク」残留電圧は、実践では、（１）ディスプレイをより低い電圧において動作させること、または（２）画像更新後の最初の数ミリ秒以内に起き、非常に低い残留インパルスをもたらす非常に急速な減衰を増加させることのいずれかによって低減され得る。本質的に、より低い電圧において動作させること以外の残留インパルスを低減させるための１つの主要な方法は、減衰率を増加させることである。
【００４７】
残留電圧の複数の潜在的な源が、存在する。（いくつかの実施形態は、この考えによって全く限定されないが）残留電圧の主原因は、ディスプレイを形成する種々の層の材料内のイオン分極であると考えられる。
【００４８】
そのような分極は、種々の方法で起こる。第１の（便宜上、「タイプＩ」と表される）分極では、イオン二重層が、材料界面を横断して、またはそれに隣接して生成される。例えば、インジウムスズ酸化物（「ＩＴＯ」）電極における正電位は、隣接する積層接着剤内に負イオンの対応する分極層を生産し得る。そのような分極層の減衰率は、積層接着層内の分離されたイオンの再結合と関連付けられる。そのような分極層の幾何学形状は、界面の形状によって判定されるが、本質的に平面であり得る。
【００４９】
第２の（「タイプＩＩ」）タイプの分極では、結節、結晶、または単一材料内の他の種類の材料不均質性が、イオンが周辺材料よりも迅速に、またはより緩慢に移動し得る領域をもたらし得る。異なる速度のイオン移動は、大量の媒体内に異なる程度の電荷分極をもたらし得、分極は、したがって、単一ディスプレイ構成要素内で起こり得る。そのような分極は、本質的に実質的に局在化される、または層全体を通して分散され得る。
【００５０】
第３の（「タイプＩＩＩ」）タイプの分極では、分極は、任意の特定のタイプのイオンの電荷輸送に対する障壁を表す任意の界面において起こり得る。マイクロキャビティ電気泳動ディスプレイ内のそのような界面の一実施例は、懸濁媒体および粒子を含む電気泳動懸濁液（「内相」）と壁、接着剤、および結合剤を含む周辺媒体（「外相」）との間の境界である。多くの電気泳動ディスプレイでは、内相は、疎水性液体である一方、外相は、ゼラチン等のポリマーである。内相に存在するイオンは、外相において不溶性かつ非拡散性であり得、逆もまた同様である。そのような界面に垂直な電場の印加に応じて、反対符号の分極層が、界面の両側上に蓄積するであろう。印加された電場が除去されると、結果として生じる非平衡電荷分布は、界面の両側上の２つの相におけるイオンの移動性によって判定される、弛緩時間とともに減衰する測定可能な残留電圧電位をもたらすであろう。
【００５１】
分極は、駆動パルス中に起こり得る。各画像更新は、残留電圧に影響を及ぼし得る事象である。正の波形電圧は、具体的電気光学ディスプレイに応じて、同一または反対の極性（またはほぼゼロ）である電気光学媒体を横断して残留電圧を生成し得る。
【００５２】
前述の議論から、分極は、電気泳動または他の電気光学ディスプレイ内の複数の場所において起こり、各場所は、主として、界面および材料不均質性において、減衰時間のその独自の特徴的スペクトルを有し得ることが明白であろう。電気アクティブ構成要素（例えば、電気泳動懸濁液）に対するこれらの電圧（言い換えると、分極電荷分布）の源の配置ならびに各種類の電荷分布間の電気結合および懸濁液を通した粒子の運動の程度、または他の電気光学活動に応じて、種々の種類の分極が、多少なりとも有害な影響を生産するであろう。電気泳動ディスプレイは、本質的に電気光学層の分極を引き起こす荷電粒子の運動によって動作するため、ある意味では、好ましい電気泳動ディスプレイは、いかなる残留電圧も常時ディスプレイ内に存在しないものではなく、むしろ、残留電圧が好ましくない電気光学挙動を引き起こさないものである。理想的には、残留インパルスは、最小限にされ、残留電圧は、１秒以内に、好ましくは、５０ミリ秒以内に、１Ｖを下回って、好ましくは、０．２Ｖを下回って減少し、したがって、画像更新の間に最小限の一時休止を導入することによって、電気泳動ディスプレイは、残留電圧影響に関する懸念なく光学状態間の全ての遷移を行い得る。ビデオレートまたは＋／−１５Ｖを下回る電圧において動作する電気泳動ディスプレイに関して、これらの理想的値は、対応して低減されるはずである。類似する考慮事項が、他のタイプの電気光学ディスプレイにも適用される。
【００５３】
要約すると、現象としての残留電圧は、少なくとも実質的に、界面における、または材料自体の中のいずれかのディスプレイ材料構成要素内で起こるイオン分極の結果である。そのような分極は、それらがおよそ５０ミリ秒〜約１時間またはそれよりも長いメソ時間スケールで持続するとき、特に問題である。残留電圧は、画像更新間の経過時間とともに変動し得る深刻度を伴って、それ自体を画像残影または種々の方法における視覚アーチファクトとして提示し得る。残留電圧はまた、ＤＣ不平衡を生成し、最長許容ディスプレイ寿命を低減させ得る。残留電圧の影響は、したがって、電気泳動または他の電気光学デバイスの品質に対して有害であり得、残留電圧自体および残留電圧の影響に対するデバイスの光学状態の感度の両方を最小限にすることが、望ましい。Ｌスターという用語が、本明細書で使用され得、「Ｌ＊」によって表され得る。Ｌ＊は、通常のＣＩＥ定義を有し、Ｌ＊＝１１６（Ｒ／Ｒ０）ｌ／３−１６であり、式中、Ｒは、反射率であり、ＲＯは、標準反射率値である。
【００５４】
本発明者は、電気光学ディスプレイの残留電圧の減衰率が、残留電圧が閾値（例えば、約２００ｍＶの閾値）に近似するにつれて低くなり得ることを認識および理解した。例えば、電気光学ディスプレイが長い時間期間（例えば、１５時間またはそれを上回る時間）にわたって静止した後であっても、電気光学ディスプレイの残留電圧は、閾値において、またはそれに近似して残留し得る。本発明者はまた、低い残留電圧（例えば、約２００ｍＶまたはそれを下回る残留電圧）であっても、限定ではないが、アドレス指定パルスと関連付けられる光学状態の偏移、経時的なディスプレイの光学状態のドリフト、および／または残影を含む電気光学ディスプレイにおけるアーチファクトをもたらし得ることを認識および理解した。
【００５５】
アドレス指定パルスと関連付けられる光学状態の「偏移」は、電気光学ディスプレイへの特定のアドレス指定パルスの第１の印加が、第１の光学状態（例えば、第１のグレートーン）をもたらし、電気光学ディスプレイへの同一のアドレス指定パルスの後続印加が、第２の光学状態（例えば、第２のグレートーン）をもたらす状況を指す。アドレス指定パルスの印加中に電気光学ディスプレイのピクセルに印加される電圧は、残留電圧およびアドレス指定パルスの電圧の合計を含むため、残留電圧は、光学状態の偏移をもたらし得る。
【００５６】
経時的なディスプレイの光学状態のドリフトは、ディスプレイが静止している間（例えば、アドレス指定パルスがディスプレイに印加されていない期間中）に、電気光学ディスプレイの光学状態が変化する状況を指す。ピクセルの光学状態は、ピクセルの残留電圧に依存し得、ピクセルの残留電圧は、経時的に減衰し得るため、残留電圧は、光学状態のドリフトをもたらし得る。
【００５７】
上記に議論されるように、「残影」は、電気光学ディスプレイが書き換えられた後、以前の画像の痕跡が依然として可視である状況を指す。残留電圧は、以前の画像の一部の輪郭（エッジ）が可視のままであるタイプの残影である、「エッジ残影」をもたらし得る。
【００５８】
したがって、電気光学ディスプレイの残留電圧を放電することは、残留電圧がすでに低い状況であっても、表示された画像の品質を改良し得る。本発明者は、電気光学ディスプレイの残留電圧を放電するための従来の技法が、残留電圧を完全に放電しない場合があることを認識および理解した。つまり、残留電圧を放出する従来の技法は、少なくとも低い残留電圧を保持する電気光学ディスプレイをもたらし得る。したがって、電気光学ディスプレイから残留電圧をより完全に放電するための技法が、必要とされる。
【００５９】
電気光学ディスプレイのピクセルの残留電圧は、ピクセルのトランジスタをアクティブ化し、ピクセルの前面および背面電極の電圧をほぼ同一の値に設定することによって放電され得る。ピクセルは、規定された時間期間にわたって、および／またはピクセル内に残留する残留電圧の量がある閾値量を下回るまで、残留電圧を放電し得る。いくつかの実施形態では、電気光学ディスプレイのピクセルのアクティブマトリクスの２つまたはそれを上回る行における２つまたはそれを上回るピクセルの残留電圧は、同一行における２つまたはそれを上回るピクセルの残留電圧のみを同時に放電することとは対照的に、同時に放電され得る。つまり、アクティブマトリクスの異なる行における２つまたはそれを上回るピクセルは、同時に、（１）２つまたはそれを上回るピクセルのそれぞれのトランジスタがアクティブであること、および（２）２つまたはそれを上回るピクセルのそれぞれの前面および背面電極に印加される電圧がほぼ等しいことによって特徴付けられる、同一の状態であり得る。２つまたはそれを上回るピクセルが、同時にこの同一の状態にあると、ピクセルは、その残留電圧を同時に放電し得る。ピクセルがこの状態である期間は、「残留電圧放電期間」と称され得る。いくつかの実施形態では、ピクセルのアクティブマトリクスの２つまたはそれを上回る行における全てのピクセル（例えば、全ての行における全てのピクセル）の残留電圧は、同一行における２つまたはそれを上回るピクセルの残留電圧のみを同時に放電することとは対照的に、同時に放電され得る。
【００６０】
いくつかの実施形態では、同時にアクティブマトリクスディスプレイモジュールにおける全てのピクセルの残留電圧を放電することは、アクティブマトリクスの走査モードを「オフにすること」および非走査モードを「オンにすること」によって達成されてもよい。アクティブマトリクスディスプレイは、典型的には、画像を表示するためにゲートラインおよびソースラインを通して走査する、ゲートラインの電圧を制御する回路およびソースラインを制御する回路を有する。これらの２つの回路は、一般的に、それぞれ、「選択またはゲートドライバ」および「ソースドライバ」集積回路内に含有される。選択およびソースドライバは、ディスプレイモジュール上に搭載される別個のチップであってもよく、ゲートラインおよびソースラインの両方を駆動するための回路を保持する単一チップに統合されてもよく、さらに、ディスプレイコントローラと統合されてもよい。
【００６１】
残留電圧を放散するための好ましい実施形態は、全てのピクセルトランジスタを長時間にわたって導通させる。例えば、全てのピクセルトランジスタは、ソースライン電圧に対するゲートライン電圧を、ピクセルトランジスタを通常のアクティブマトリクス駆動の一部としてソースラインからピクセルを分離するために使用される非導電性状態と比較して、比較的に導電性である状態にさせる値にすることによって導通させられ得る。ｎ型薄フィルムピクセルトランジスタに関して、これは、ゲートラインをソースライン電圧値よりも実質的に高い値にすることによって達成され得る。ｐ型薄フィルムピクセルトランジスタに関して、これは、ゲートラインをソースライン電圧値よりも実質的に低い値にすることによって達成され得る。代替実施形態では、全てのピクセルトランジスタは、ゲートライン電圧をゼロにし、ソースライン電圧を負（または、ｐ型トランジスタに関しては正）の電圧にすることによって導通させられ得る。
【００６２】
いくつかの実施形態では、特別に設計された回路が、同時に全てのピクセルをアドレス指定するために提供されてもよい。標準的アクティブマトリクス動作では、選択ライン制御回路は、典型的には、全てのゲートラインを、上記に言及される全てのピクセルトランジスタに対する導通状態を達成する値にしない。この条件を達成するための便宜的方法は、外部信号が、全ての選択ライン出力がピクセルトランジスタを導通させるように選定される選択ドライバに供給される電圧を受電する条件を付与することを可能にする、入力制御ラインを有する選択ラインドライバチップによってもたらされる。適切な電圧値をこの特殊な入力制御ラインに印加することによって、全てのトランジスタは、導通させられ得る。実施例として、ｗ型ピクセルトランジスタを有するディスプレイに関して、いくつかの選択ドライバは、「Ｘｏｎ」制御ライン入力を有する。選択ドライバへのＸｏｎピン入力に入力する電圧値を選定することによって、「ゲート高」電圧が、全ての選択ラインに配策される。
【００６３】
上記に説明される種々の側面、ならびにさらなる側面が、ここで、以下に詳細に説明される。これらの側面は、相互に排他的でない限りにおいて、単独で、全てともに、または２つもしくはそれを上回るものの任意の組み合わせで使用され得ることを理解されたい。
【００６４】
図１は、いくつかの実施形態による、電気光学ディスプレイのピクセル１００の概略図を示す。ピクセル１００は、撮像フィルム１１０を含み得る。いくつかの実施形態では、撮像フィルム１１０は、双安定性であってもよい。いくつかの実施形態では、撮像フィルム１１０は、限定ではないが、例えば、荷電色素粒子を含み得る、カプセル化電気泳動撮像フィルムを含んでもよい。
【００６５】
撮像フィルム１１０は、前面電極１０２と背面電極１０４との間に配置され得る。前面電極１０２は、撮像フィルムとディスプレイの前面との間に形成され得る。いくつかの実施形態では、前面電極１０２は、透明であってもよい。いくつかの実施形態では、前面電極１０２は、限定ではないが、インジウムスズ酸化物（ＩＴＯ）を含む、任意の好適な透明材料から形成されてもよい。背面電極１０４は、前面電極１０２に対向して形成され得る。いくつかの実施形態では、寄生容量（図示せず）が、前面電極１０２と背面電極１０４との間に形成されてもよい。
【００６６】
ピクセル１００は、複数のピクセルのうちの１つであり得る。複数のピクセルは、マトリクスを形成するように行および列の２次元アレイにおいて配列され得、したがって、任意の具体的ピクセルは、１つの規定された行および１つの規定された列の交差点によって一意に画定される。いくつかの実施形態では、ピクセルのマトリクスは、「アクティブマトリクス」であってもよく、各ピクセルは、少なくとも１つの非線形回路要素１２０と関連付けられる。非線形回路要素１２０は、バックプレーン電極１０４とアドレス指定電極１０８との間に結合され得る。いくつかの実施形態では、非線形要素１２０は、ダイオードおよび／または、限定ではないが、ＭＯＳＦＥＴを含むトランジスタを含んでもよい。ＭＯＳＦＥＴのドレイン（またはソース）は、バックプレーン電極１０４に結合され得、ＭＯＳＦＥＴのソース（またはドレイン）は、アドレス指定電極１０８に結合され得、ＭＯＳＦＥＴのゲートは、ＭＯＳＦＥＴのアクティブ化および非アクティブ化を制御するように構成されるドライバ電極１０６に結合され得る。（簡易化するために、バックプレーン電極１０４に結合されるＭＯＳＦＥＴの端子は、ＭＯＳＦＥＴのドレインと称され、アドレス指定電極１０８に結合されるＭＯＳＦＥＴの端子は、ＭＯＳＦＥＴのソースと称されるであろう。しかしながら、当業者は、いくつかの実施形態では、ＭＯＳＦＥＴのソースおよびドレインが置換され得ることを認識するであろう。）
【００６７】
アクティブマトリクスのいくつかの実施形態では、各列における全てのピクセルのアドレス指定電極１０８は、同一の列電極に接続されてもよく、各行における全てのピクセルのドライバ電極１０６は、同一の行電極に接続されてもよい。行電極は、行ドライバに接続され得、これは、選択された行電極に、選択された行における全てのピクセル１００の非線形要素１２０をアクティブ化するために十分な電圧を印加することによって、ピクセルの１つまたはそれを上回る行を選択し得る。列電極は、列ドライバに接続され得、これは、選択された（アクティブ化された）ピクセルのアドレス指定電極１０６に、ピクセルを所望される光学状態に駆動するために好適な電圧を印加し得る。アドレス指定電極１０８に印加される電圧は、ピクセルのフロントプレーン電極１０２に印加される電圧（例えば、約ゼロボルトの電圧）に相対的であり得る。いくつかの実施形態では、アクティブマトリクスにおける全てのピクセルのフロントプレーン電極１０２は、共通電極に結合されてもよい。
【００６８】
いくつかの実施形態では、アクティブマトリクスのピクセル１００は、行毎の様式で書き込まれてもよい。例えば、ピクセルの行は、行ドライバによって選択されてもよく、ピクセルの行に関する所望される光学状態に対応する電圧は、列ドライバによってピクセルに印加されてもよい。「ラインアドレス時間」として公知である事前選択された間隔後、選択された行は、選択解除され得、別の行が、選択され得、列ドライバ上の電圧は、ディスプレイの別のラインが書き込まれるように変更され得る。
【００６９】
図２は、いくつかの実施形態による、前面電極１０２と背面電極１０４との間に配置される電気光学撮像層１１０の電気モデルを示す。抵抗２０２および容量２０４は、任意の接着層を含む、電気光学撮像層１１０、前面電極１０２、ならびに背面電極１０４の抵抗および容量を表し得る。抵抗２１２および容量２１４は、積層接着層の抵抗および容量を表し得る。容量２１６は、前面電極１０２と背面電極１０４との間に形成され得る容量、例えば、撮像層と積層接着層との間および／または積層接着層と背面電極との間の界面等、層間の界面接触面積を表し得る。ピクセルの撮像フィルム１１０を横断する電圧Ｖｉは、ピクセルの残留電圧を含み得る。
【００７０】
ピクセルの残留電圧の放電は、限定ではないが、図３に例証されるような信号のセットまたは図４に例証されるような信号のセットを含む、ピクセルへの信号の任意の好適なセットを印加することによって開始および／または制御され得る。
【００７１】
図３は、いくつかの実施形態による、残留電圧放電パルス３５０を示す。図３の実施例に示されるように、残留電圧放電パルス３５０は、アドレス指定パルス３２０（これは、「保持」フレーム３３０を含み得る）および「浮遊停留」期間３４０によって先行され得る。図３の実施例では、電圧３０２は、ゲート電圧（例えば、ピクセルトランジスタのゲートに印加される電圧）であり、電圧３０４は、基準電圧（例えば、ゼロボルト）を表し、電圧３０６（一般的に、Ｖｃｏｍと称される）は、前面電極１０２に印加される電圧であり、電圧３０８は、ソース電圧であり、電圧３１０は、電気光学層が被る電圧である。
【００７２】
上記に議論されるように、残留電圧の減衰率は、残留電圧が閾値に近似するにつれてより緩慢になり得る。閾値は、ディスプレイ毎に変動し得、ディスプレイのタイプ、ディスプレイ内の材料、ディスプレイの使用、およびディスプレイの所望される性能等に依存し得る。例えば、図３の電気泳動ディスプレイに関する閾値は、１Ｖを下回る、約５００ｍＶ〜約１Ｖ、約３００ｍＶ〜５００ｍＶ、および／または約２００ｍＶ〜３００ｍＶであり得る。一方、異なる電気光学ディスプレイに関する残留電圧閾値は、１Ｖを上回る、または２００ｍＶを下回り得る。
【００７３】
残留電圧放電パルス３５０は、電圧３０６および３０８がほぼ同一の電圧３０４に設定されること、およびゲート電圧３０２がピクセルの非線形回路要素１２０をアクティブ化するために好適な値（例えば、ピクセルトランジスタをアクティブ化するために好適な値）に設定されることによって特徴付けられる。いくつかの実施形態では、ピクセルトランジスタをアクティブ化するために十分な値は、約３００ｍＶもしくはそれを上回るもの、約４００ｍＶもしくはそれを上回るもの、約４５０ｍＶもしくはそれを上回るもの、約７００ｍＶもしくはそれを上回るもの、約１Ｖもしくはそれを上回るもの、約１．５Ｖもしくはそれを上回るもの、および／またはピクセルトランジスタの閾値電圧を上回る、もしくはそれに等しい任意の他の値であってもよい。
【００７４】
残留電圧放電パルス３５０が印加される期間は、「残留電圧放電パルス」、「放電期間」、「更新後駆動放電」、または「ｕＰＰＤ」と称され得る。放電期間中、ピクセル１００は、撮像フィルム１１０から電荷キャリアを放電し、残留電圧を低減させ得る。放電期間３５０の持続時間は、ユーザによって規定される、残留電圧の残留レベルに基づいて自動的に判定される、および／または任意の他の好適な技法を使用して判定されてもよい。いくつかの実施形態では、放電期間３５０の持続時間は、放電期間の終了時の残留電圧のレベルが、ある閾値（例えば、ディスプレイおよび所望される光学性能に応じて、１Ｖ、５００ｍＶ、２５０ｍＶ、１００ｍＶ、５０ｍＶ、２５ｍＶ、または０ｍＶ）を下回る、またはそれに等しいように（ユーザによっておよび／または自動的に）規定されてもよい。
【００７５】
「浮遊停留」期間３４０中、ピクセル１００は、電気浮遊状態に置かれ得る。ピクセルは、限定ではないが、電圧３０２（例えば、ピクセルトランジスタのゲートに印加される電圧）をピクセルトランジスタを非アクティブ化するために好適な値（例えば、ピクセルトランジスタの閾値電圧よりも低い値）に設定すること、およびピクセルの前面電極を高インピーダンス状態に置くことを含む、任意の好適な技法を使用して電気浮遊状態に置かれ得る。「浮遊停留」期間中、残留電圧は、減衰し得る。いくつかの実施形態では、残留電圧は、「浮遊停留」期間中に閾値電圧まで減衰し得る。
【００７６】
図４は、いくつかの実施形態による、残留電圧放電パルス４５０を示す。図４の実施例に示されるように、残留電圧放電パルス４５０は、アドレス指定パルス４２０（これは、「保持」フレーム４３０を含み得る）によって先行され得、アドレス指定パルスと放電パルスとの間に介在するいずれの「浮遊停留」期間も伴わない。図４の実施例では、電圧４０２は、ゲート電圧であり、電圧４０４は、基準電圧（例えば、コントローラのための論理接地）を表し、電圧４０６（一般的に、Ｖｃｏｍと称される）は、前面電極１０２に印加される電圧であり、電圧４０８は、ソース電圧であり、電圧４１０は、電気光学層が被る電圧である。
【００７７】
残留電圧放電パルス４５０は、電圧４０６および４０８がほぼ同一の電圧４０４（すなわち、接地）に設定されること、および電圧４０２（例えば、ピクセルトランジスタのゲートに印加される電圧）がピクセルの非線形回路要素１２０をアクティブ化するために好適な値（例えば、ピクセルトランジスタをアクティブ化するために好適な値）に設定されることによって特徴付けられる。いくつかの実施形態では、ピクセルトランジスタをアクティブ化するために十分な値は、約３００ｍＶもしくはそれを上回るもの、約４００ｍＶもしくはそれを上回るもの、約４５０ｍＶもしくはそれを上回るもの、約７００ｍＶもしくはそれを上回るもの、約１Ｖもしくはそれを上回るもの、約１．５Ｖもしくはそれを上回るもの、および／またはピクセルトランジスタの閾値電圧を上回る、もしくはそれに等しい任意の他の値であってもよい。
【００７８】
放電期間４５０中、ピクセル１００は、撮像フィルム１１０から電荷キャリアを放電し、残留電圧を低減させ得る。放電期間４５０の持続時間は、ユーザによって規定される、残留電圧のレベル（例えば、放電期間の開始時の残留電圧のレベルまたは放電期間中に測定される残留電圧のレベル）に基づいて自動的に判定される、および／または任意の他の好適な技法を使用して判定され得る。いくつかの実施形態では、放電期間４５０の持続時間は、放電期間の終了時の残留電圧のレベルが、ある閾値を下回る、またはそれに等しいように（ユーザによっておよび／または自動的に）規定されてもよい。
【００７９】
いくつかの実施形態では、電気光学ディスプレイから残留電圧を放電する方法は、１つまたはそれを上回るピクセルを、（１）１つまたはそれを上回るピクセルのそれぞれのピクセルトランジスタがアクティブであること、および（２）１つまたはそれを上回るピクセルのそれぞれの前面および背面電極に印加される電圧がほぼ等しいことによって特徴付けられる、残留電圧放電状態に置くステップを含んでもよい。残留電圧放電状態に置かれることに応答して、ピクセルは、その残留電圧の少なくとも一部を放電し得る。いくつかの実施形態では、１つまたはそれを上回るピクセルは、２つまたはそれを上回るピクセルを含んでもよく、２つまたはそれを上回るピクセルは、そのそれぞれの残留電圧の少なくとも一部を同時に放電し得る。いくつかの実施形態では、２つまたはそれを上回るピクセルは、異なる行のアクティブマトリクスにおける２つまたはそれを上回るピクセルを含んでもよい。いくつかの実施形態では、２つまたはそれを上回るピクセルは、アクティブマトリクスの全てまたは実質的に全てのピクセルを含んでもよい。
【００８０】
図５Ａは、ｎ型トランジスタと、低レベルゲートラインに正電圧を印加することを可能にする特殊化ドライバとを有するアクティブマトリクスディスプレイの２つのトランジスタを示す、図５Ｂのドライバ回路に関するアクティブマトリクスディスプレイにおける非走査機能を可能にする一方法を示す、経時的印加電圧図を描写する。図５Ａは、経時的に印加される電圧を描写し、残留電圧放電パルス５０４は、光学更新５０２の終了時に起動され、残留電荷を排出する。示される４つの電圧は、高レベルゲートライン電圧（「ＶＤＤＨ」）５０６、低レベルゲートライン電圧（「ＶＥＥ」）５０８、前面電極電圧（「ＶＣＯＭ」）５１０、およびソース駆動出力対応電圧（「ＳＤＯＥ」）５１２である。ＳＤＯＥは、ソース駆動出力対応フラグである。ＳＤＯＥが高いとき、ソースドライバは、ソースライン（１０８）に印加されるべき波形データに応じて、ＶＰＯＳおよびＶＮＥＧ電圧を選択するであろう。ＳＤＯＥが低いとき、ソースライン（１０８）は、接地されるであろう。各電圧は、灰色実線として描写される別個のゼロ電圧軸を有する。灰色実線を上回る電圧は、正電圧を示す一方、灰色実線を下回る電圧は、負電圧を示す。図５Ａに示される残留電圧を放電する方法は、全てのトランジスタのゲートを同時に関与させるであろう、正電圧値＋υＶ５１４を低ゲート電圧（「ＶＥＥ」）５０８に印加し、前面電極（「ＶＣＯＭ」）５１０およびソースラインを接地させることによって遂行され得る。
【００８１】
図５Ｂは、ｎ型トランジスタと、低レベルゲートラインに正電圧を印加することを可能にする特殊化ドライバとを有するアクティブマトリクス電気光学ディスプレイの２つのトランジスタの電気接続の構成を示す。示される電気光学フィルム５２２の接続は、低レベルゲートライン電圧（「ＶＥＥ」）５２４と、ソースライン電圧（「Ｖｓ」）５２６と、ドレインライン電圧（「Ｖｄ」）５２８と、前面電極電圧（「ＶＣＯＭ」）５２０とを含む。非走査機能が、正電圧値を低ゲート電圧（「ＶＥＥ」）５２４に印加し、前面電極（「ＶＣＯＭ」）５２０およびソースラインの両方を（ＳＤＯＥを低くすることによって）接地させることによって可能にされる。
【００８２】
図６Ａは、ｎ型トランジスタを有するアクティブマトリクスディスプレイにおける非走査機能を可能にする別の方法を示す。図６Ａは、経時的に印加される電圧のグラフィック描写であり、残留電圧放電パルス６０４は、光学更新６０２の終了時に起動され、残留電荷を排出する。示される６つの電圧は、高レベルゲートライン電圧（「ＶＤＤＨ」）６０６、低レベルゲートライン電圧（「ＶＥＥ」）６０８、前面電極電圧（「ＶＣＯＭ」）６１０、ソース駆動出力対応電圧（「ＳＤＯＥ」）６１２、正電圧（「ＶＰＯＳ」）６１４、および負電圧（「ＶＮＥＧ」）６１６である。ＶＰＯＳおよびＶＮＥＧ電圧は、ＳＤＯＥが高いとき、波形データに応じて、ソースドライバに供給され、ソースライン１０８に印加され得る電圧である。負波形データが、ＶＮＥＧ電圧レールに印加され、正波形データが、ＶＰＯＳ電圧レールに印加されるであろう。図６Ａに示されるように、残留電圧放電パルス６０４中にＳＤＯＥを高く、波形データを負に設定することによって、−υＶ値６１８を有するＶＮＥＧが、ソースラインに印加されるであろう。
【００８３】
図６Ａでは、各電圧は、灰色実線として描写される別個のゼロ電圧軸を有する。灰色実線を上回る電圧は、正電圧を示す一方、灰色実線を下回る電圧は、負電圧を示す。図６Ａに示される残留電圧を放電する方法は、十分な負電圧値（−υＶ）６１８を前面電極電圧（「ＶＣＯＭ」）に印加し、ほぼ同一の負電圧６２０をソースラインに印加することによって、そして、ゲート電圧６０６、６０８を接地し、ゲートからソースおよびドレインラインに正電圧を生成することによって遂行され得る。ｎ型トランジスタに関して、正のゲート−ソース電圧は、電子が容易に流動することを可能にし、したがって、全てのトランジスタをオンにする。ｐ型トランジスタに関して、負のゲート−ソース電圧は、電子が容易に流動することを可能にし、したがって、全てのトランジスタをオンにする。
【００８４】
図６Ｂは、ｎ型トランジスタと、ゲートからソースおよびドレインラインに正電圧を印加することを可能にする特殊化ドライバとを有するアクティブマトリクス電気光学ディスプレイの２つのトランジスタの電気接続の構成を示す。示される電気光学フィルム６３２の接続は、ゲートライン電圧（「Ｖｇ」）６３４と、ソースライン電圧（「Ｖｓ」）６３６と、ドレインライン電圧（「Ｖｄ」）６３８と、前面電極電圧（「ＶＣＯＭ」）６３０とを含む。非走査機能が、ゼロ電圧値をゲート電圧（「Ｖｇ」）６３４に印加することによって、そして、前面電極（「ＶＣＯＭ」）６３０およびソースライン（「Ｖｓ」）６３６の両方の電圧を十分な負値（−υＶ）にすることによって可能にされる。
【００８５】
図７Ａは、特定の電気光学ディスプレイ構成に関して、４つの異なる印加された電圧における、残留電荷の１分間の排出の繰り返しの回数に対して測定された残留電圧値をプロットする。３ボルト７０２および５ボルト７０４の印加された電圧値において、測定された残留電圧は、４０回を上回る排出後であっても、約０．０５ボルト〜０．１ボルトのままである。１０ボルト７０６および１５ボルト７０８の印加されたゲート電圧値において、測定された残留電圧は、約１５回の排出後に、０．０５ボルトを下回って降下する。
【００８６】
図７Ｂは、高レベルゲートライン電圧（「ＶＤＤＨ」）値に対する、残留電荷の１分間の排出の４０回繰り返し後に測定された残留電圧のグラフィック描写である。これらの実験では、残留電圧は、印加されたＶＤＤＨ電圧が７ボルトを上回るときのみ、より低い値である約１０ミリボルト（０．０１０Ｖ）に降下する。
【００８７】
ピクセルの残留電圧を放電することは、電流を、ピクセルの撮像フィルム１１０を通して流動させ、これは、ピクセルの光学状態を改変し得る。用語「光学キックバック」は、少なくとも部分的にピクセルの残留電圧の放電に応答して起こる、ピクセルの光学状態の変化を説明するために本明細書で使用される。
【００８８】
光学キックバックの頻度および／または深刻度は、残留電圧が放電される速度が減少するにつれて低減され得る。いくつかの実施形態では、ピクセルの残留電圧が放電される速度は、少なくとも部分的に、ピクセルのピクセルトランジスタに印加されるゲート−ソース電圧によって判定されてもよい。残留電圧放電期間中、ピクセルトランジスタのゲート−ソース電圧がより高い（すなわち、放電するために必要な大きさの少なくとも２倍またはそれを上回る）とき、ピクセルトランジスタのオン抵抗は、比較的に低く、残留電圧の比較的に急速な放電をもたらし得る。それに反して、残留電圧放電期間中、ピクセルトランジスタのゲート−ソース電圧が低いとき、ピクセルトランジスタのオン抵抗は、比較的に高く、残留電圧の比較的に緩慢な放電をもたらし得る。いくつかの実施形態では、残留電圧放電パルス中のピクセルトランジスタのゲート−ソース電圧は、残留電圧の放電の所望される速度に応じて、ピクセルトランジスタの閾値電圧（例えば、約３００ｍＶ〜１．５Ｖ）とピクセルトランジスタのパンチスルー電圧（例えば、約２０Ｖ）との間の値に設定されてもよい。
【００８９】
残留電圧放電パルス中にピクセルによって放電される残留電圧の量は、少なくとも部分的に、ピクセルが残留電圧を放電する速度および残留電圧放電パルスの持続時間に依存し得る。いくつかの実施形態では、残留電圧放電パルスが印加される期間の持続時間は、少なくとも５０ミリ秒、少なくとも１００ミリ秒、少なくとも２００ミリ秒、少なくとも３００ミリ秒、または任意の他の好適な持続時間であってもよい。好ましくは、残留電圧放電期間は、約１秒である。最適には、放電期間は、約０．５秒〜約３秒であるが、しかしながら、時間が許せば、放電期間は、５秒またはそれよりも長くてもよい。いくつかの実施形態では、残留電圧放電期間中のピクセルトランジスタのゲートーソース電圧（これは、残留電圧が放電する速度に影響を及ぼす）および残留電圧放電期間の持続時間は、規定された量の残留電圧が残留電圧放電パルス中に放電される、実質的に全ての残留電圧が残留電圧放電パルス中に放電される、残留電圧が残留電圧放電パルス中に規定された閾値まで放電されるように判定される、または任意の他の好適な方法で判定されてもよい。
【００９０】
残留電圧放電パルスは、任意の好適な事象に応答して、および／または任意の好適な時点で１つまたはそれを上回るピクセルに印加され得る。いくつかの実施形態では、残留電圧放電パルスは、第１の値がピクセルに書き込まれた後（例えば、第１のアドレス指定パルスがピクセルに印加された後）および連続的値がピクセルに書き込まれる前にピクセルに印加されてもよい。いくつかの実施形態では、残留電圧放電パルスは、ピクセルが規定された回数更新された後にピクセルに印加されてもよい。いくつかの実施形態では、残留電圧放電パルスは、ある値がピクセルのアクティブマトリクス内の任意のピクセルに書き込まれた後、またはある値がピクセルのアクティブマトリクス内の任意のピクセルに書き込まれた後のある時、アクティブマトリクス内の任意のピクセルの連続的更新の前に全てのピクセルに印加されてもよい。いくつかの実施形態では、残留電圧放電パルスは、ディスプレイが規定された回数更新された後またはある程度の集中的使用の後に全てのピクセルに印加されてもよい。いくつかの実施形態では、残留電圧放電パルスは、アクティブ更新の開始時またはアクティブ更新の開始前のある時に全てのピクセルに印加されてもよい。いくつかの実施形態では、残留電圧放電パルスは、ディスプレイの性能をリセットする等、ディスプレイをその元々の電気状態にするために、任意の時点で印加されてもよい。残留電圧放電パルスは、中断され、後で再開されてもよい。いくつかの実施形態では、光学キックバックの頻度および／または深刻度は、残留電圧が放電される頻度が減少するにつれて低減され得る。いくつかの実施形態では、残留電圧放電パルスは、短い放電時間を可能にし、比較的に少量の残留電荷増進を維持するために、アクティブ更新に組み込まれてもよい。アクティブ更新に組み込まれると、残留電圧放電パルスは、中断されない場合がある。例えば、リセットすることを要求する特殊なタイプの波形では、残留電圧放電プロセスは、残留電圧を放電するためにアクティブ更新の第１の部分を形成し、光学波形は、表示される画像を変更するためにアクティブ更新の第２の部分を形成するであろう。
【００９１】
いくつかの実施形態では、残留電圧がアクティブマトリクスの１つまたはそれを上回るピクセルから放電される期間中、１つまたはそれを上回るピクセルのいずれかの光学状態は、ある閾値量を下回って（例えば、１０Ｌ＊を下回って、５Ｌ＊を下回って、３Ｌ＊を下回って、２Ｌ＊を下回って、１Ｌ＊を下回って、または０．５Ｌ＊を下回って）変化してもよい。
【００９２】
セグメント化電気光学ディスプレイでは、残留電圧は、ほぼ同一の電圧を前面電極および背面電極に印加することによって、設定された時間にわたって、または定義された残留電圧値が達成されるまで放電され得る。
【００９３】
図に示される種々の実施形態は、例証的表現であり、必ずしも、縮尺通りに描かれないことを理解されたい。本明細書全体を通して、「一実施形態」または「ある実施形態」または「いくつかの実施形態」の言及は、実施形態と関連して説明される特定の特徴、構造、材料、または特性が、必ずしも全ての実施形態ではなく、少なくとも１つの実施形態に含まれることを意味する。その結果、本明細書全体を通した種々の箇所における語句「一実施形態では」または「ある実施形態では」または「いくつかの実施形態では」の出現は、必ずしも、同一の実施形態を指すわけではない。
【００９４】
文脈が明確にそうでないことを要求しない限り、本開示全体を通して、単語「〜を備える（ｃｏｍｐｒｉｓｅ）」、「〜を備える（ｃｏｍｐｒｉｓｉｎｇ）」、および同等物は、排他的または網羅的な意味ではなく、包括的な意味において、つまり、「限定ではないが、〜を含む」という意味において解釈されるべきである。加えて、単語「本明細書では」、「本明細書の下記では」、「上記」、「以下」、および類似する意味の単語は、本願のいずれか特定の部分ではなく、全体としての本願を指す。単語「または」が、２つまたはそれを上回る物品のリストを参照して使用されるとき、その単語は、単語の以下の解釈の全て、すなわち、リストにおける物品のいずれか、リストにおける物品の全て、およびリストにおける物品の任意の組み合わせを網羅する。
【００９５】
本技術の少なくとも一実施形態のいくつかの側面をこのように説明したが、種々の改変、修正、および改良が、当業者に容易に想起されるであろうことを理解されたい。そのような改変、修正、および改良は、本技術の精神および範囲内であることが意図される。故に、前述の説明および図面は、非限定的実施例のみを提供する。
【図１】
0006613311.tif 000003
【図２】
0006613311.tif 000004
【図３】
0006613311.tif 000005
【図４】
0006613311.tif 000006
【図５Ａ】
0006613311.tif 000007
【図５Ｂ】
0006613311.tif 000008
【図６Ａ】
0006613311.tif 000009
【図６Ｂ】
0006613311.tif 000010
【図７Ａ】
0006613311.tif 000011
【図７Ｂ】
0006613311.tif 000012